(57)【要約】  光配線用スペースの狭小化を実現するとともに、安価かつ低消費電力で双方向に光伝送が可能な光伝送システムを提供する。クロック信号を光信号として伝送するコア部（３３ａ）と、前記クロック信号の伝送方向と同方向の第１の方向にデータ信号または制御信号を光信号として伝送するコア部（３３ｂ）と、前記クロック信号の伝送方向に対して逆方向の第２の方向にデータ信号または制御信号を光信号として伝送するコア部（３３ｃ）とを備えるとともに、前記第１の方向へ伝送されるデータ信号または制御信号を、前記クロック信号に同期させて伝送し、前記第２の方向に伝送されるデータ信号または制御信号を、コア部（３３ａ）を介して伝送されたクロック信号に同期させて伝送し、コア部（３３ｃ）を介して伝送されたデータ信号または制御信号を、前記第１の方向に伝送される前記クロック信号に同期させることによって、データ信号または制御信号を双方向に伝送する。
2008114676.tif 000002
【特許請求の範囲】
【請求項１】
透光性を有する材料から構成されるコア部、および該コア部の屈折率とは異なる屈折率を有する材料から構成されるクラッド部からなる光伝送路と、電気信号に応じた光信号を前記光伝送路の光入射面に対して照射する発光部を含む光送信部と、前記発光部から前記コア部の光入射面に照射され前記コア部内を伝送する光信号を受信して、該光信号に応じた電気信号を出力する受光部を含む光受信部とを備える少なくとも１つの光伝送モジュールによって、データ信号または制御信号を双方向に伝送可能にする光伝送システムであって、
前記光伝送システムは、クロック信号を光信号として伝送する１つの第１のコア部と、
前記クロック信号の伝送方向と同方向である第１の方向にデータ信号または制御信号を光信号として伝送する、少なくとも１つの第２のコア部と、
前記クロック信号の伝送方向に対して逆方向である第２の方向にデータ信号または制御信号を光信号として伝送する、少なくとも１つの第３のコア部とを備えるとともに、
前記第１の方向へ伝送されるデータ信号または制御信号を、前記クロック信号に同期させて前記第２のコア部を介して伝送し、
前記第２の方向に伝送されるデータ信号または制御信号を、前記第１のコア部を介して伝送されたクロック信号に同期させて、前記第３のコア部を介して伝送し、
前記第３のコア部を介して伝送されたデータ信号または制御信号を、前記第１の方向に伝送される前記クロック信号に同期させることによって、データ信号または制御信号を双方向に伝送することを特徴とする光伝送システム。
【請求項２】
少なくとも１つの前記光伝送路が、前記第１のコア部と、前記第２のコア部と、前記第３のコア部とのうち、少なくとも２つのコア部を備えていることを特徴とする請求項１に記載の光伝送システム。
【請求項３】
前記第１のコア部を有する前記光伝送モジュールと、前記第２のコア部を有する前記光伝送モジュールと、前記第３のコア部を有する前記光伝送モジュールとのうち、少なくとも２つの光伝送モジュールのそれぞれにおける前記発光部および前記受光部が、それぞれ、同一の前記光送信部および同一の前記光受信部に備えられていることを特徴とする請求項１に記載の光伝送システム。
【請求項４】
前記第３のコア部を介して伝送されたデータ信号または制御信号が、前記第１の方向に伝送される前記クロック信号に対して、該クロック信号の半周期以下の時間だけ遅延を有する場合において、
前記第３のコア部を介して伝送されたデータ信号または制御信号と、前記第１の方向に伝送される前記クロック信号との同期を、該クロック信号の立下りエッジで取ることを特徴とする請求項１〜３のいずれか１項に記載の光伝送システム。
【請求項５】
前記第３のコア部を介して伝送されたデータ信号または制御信号が、前記第１の方向に伝送される前記クロック信号に対して遅延を有する場合において、
前記第１の方向に伝送される前記クロック信号の位相を反転させるクロック反転回路をさらに備え、
前記第３のコア部を介して伝送されたデータ信号または制御信号と、前記クロック反転回路によって位相が反転されたクロック信号との同期を、該位相が反転されたクロック信号の立ち上がりエッジで取ることを特徴とする請求項１〜３のいずれか１項に記載の光伝送システム。
【請求項６】
前記第３のコア部を介して伝送されたデータ信号または制御信号が、前記第１の方向に伝送される前記クロック信号に対して遅延を有する場合において、
前記第３のコア部を介して伝送されたデータ信号または制御信号が、前記第１の方向に伝送される前記クロック信号に同期するように、前記クロック信号を予め設定された時間だけ遅延させる遅延回路を備えていることを特徴とする請求項１〜３のいずれか１項に記載の光伝送システム。
【請求項７】
前記第３のコア部を介して伝送されたデータ信号または制御信号が、前記第１の方向に伝送される前記クロック信号に対して遅延を有する場合において、
前記第３のコア部を介して伝送されたデータ信号または制御信号が、前記第１の方向に伝送される前記クロック信号に同期するように、
前記第２の方向に伝送されるデータ信号または制御信号を予め設定された時間だけ遅延させる、または、
前記第３のコア部を介して伝送されたデータ信号または制御信号を予め設定された時間だけ遅延させる、遅延回路を備えていることを特徴とする請求項１〜３のいずれか１項に記載の光伝送システム。
【請求項８】
前記遅延回路は、ローパスフィルタと波形整形回路とから構成されていることを特徴とする請求項６に記載の光伝送システム。
【請求項９】
請求項１〜８のいずれか１項に記載の光伝送システムを備えた電子機器。
【発明の詳細な説明】
【技術分野】
【０００１】
本発明は、光信号を双方向に伝送する光伝送システムおよび電子機器に関するものである。
【背景技術】
【０００２】
近年では、高速で大容量のデータ通信が可能な光通信網が拡大している。今後、この光通信網は、機器間から機器内への搭載が予想されている。そして、この光通信網の分野においては、プリント配線基板を光配線として実現するために、アレイ化が可能な光導波路が期待されている。【０００３】
光導波路は、コアと呼ばれる芯とそれを覆うクラッドと呼ばれる鞘との二重構造になっており、クラッドよりもコアの屈折率が高くなっている。すなわち、コアに入射した光信号は、コア内部で全反射を繰り返すことによって伝搬される。このような光導波路については、例えば特許文献１および特許文献２などに開示されている。【０００４】
また、特に近年では、より小型、薄型の民生機器に搭載されるフレキシブルな光配線を光導波路で実現することが求められている。これに対しては、光導波路のコアおよびクラッドの材料に従来よりもさらに柔軟な材料を用いることによって、高い屈曲性を有する光導波路が開発されている。このような高い屈曲性を有する光導波路を用いれば、機器内の基板間でのデータ伝送をも光導波路にて行うことが可能となる。【０００５】
そこで、光導波路を用いた光導波路モジュールにおける光伝送の仕組みについて簡単に説明する。まず、外部から入力される電気信号に基づいて、駆動部が発光部（光素子）の発光を駆動し、発光部が光導波路の光入射面に対して光を照射する。光導波路の光入射面に照射された光は、光導波路内に導入され、光導波路の光出射面から出射される。そして、光導波路の光出射面から出射された光は、受光部（光素子）により受光され電気信号に変換される。【０００６】
上記光導波路を用いて双方向通信を行う場合、その伝送方式としては例えば、特許文献１に開示されているような、双方向に伝送されるデータ用信号のそれぞれと同期したクロック信号を双方向に伝送する光伝送方式が用いられている。【０００７】
特許文献３に記載の光伝送方式は、第１の光伝送装置と第２の光伝送装置との間で、転送データとその転送データと同期したクロック信号とをそれぞれパラレルで双方向に光伝送するものである。【０００８】
特許文献３に記載の光伝送方式について、図２０及び図２１を用いて具体的に説明すると、以下のとおりである。図２０に示すように、第１光伝送装置１０１から第２光伝送装置１０２へデータを伝送するための光配線１０３と、光配線１０３を介して伝送されるデータと同期したクロック信号を伝送するための光配線１０５と、第２光伝送装置１０２から第１光伝送装置１０１へデータを伝送するための光配線１０４と、光配線１０４を介して伝送されるデータと同期したクロック信号を伝送するための光配線１０６とを備えている。すなわち、特許文献３に記載の光伝送方式は、第１光伝送装置１０１から第２光伝送装置１０２へのクロック信号用の光配線１０５及び第２光伝送装置１０２から第１光伝送装置１０１へのクロック信号用の光配線１０６の２本のクロック信号用の光配線を必要としている。また、図２１で示すように、端末装置からの複数のデータ線に対してこれらのデータを同期させるクロック信号線を備え、光伝送ブロックからのデータ線に対してこれらのデータを同期させるクロック信号線を備えている。【０００９】
このように、従来の光伝送方式を用いて双方向通信を行う場合においては、少なくとも双方向のデータ伝送用光配線２本と、双方向のクロック信号伝送用光配線２本との、合計４本の光配線が必要となる。
【特許文献１】日本国公開特許公報「特開２００１―２４２３３４公報（公開日：２００１年９月７日）」
【特許文献２】日本国公開特許公報「特開２００１―３３０７４２公報（公開日：２００１年１１月３０日）」
【特許文献３】日本国公開特許公報「特開平８−２９３８３４号公報（公開日：１９９６年１１月５日）」
【発明の開示】
【００１０】
しかしながら、上記光導波路を用いた携帯電話機等の電子機器における双方向通信に、上記従来の伝送方式を用いると以下のような問題が生じる。
【００１１】
上記従来の伝送方式では、上述したように、双方向通信を行うために少なくとも光配線が４本必要となるため、光配線用のスペースとして光配線４本分のスペースが必要となる。これは、光導波路を用いて実現しようとしている電子機器の小型化を阻害する要因となってしまうおそれがある。
【００１２】
また、各光配線のＯ／Ｅ変換・Ｅ／Ｏ変換等において電力が消費されるため、光配線の数が多くなると、機器全体の消費電力の増大という問題が生じるおそれがある。また、光配線が多いと、光配線を購入するためのコストも大きくなってしまう。
【００１３】
本発明は、上記従来の問題点に鑑みなされたものであって、その目的は、光配線用のスペースの狭小化を実現するとともに、安価かつ低消費電力で双方向に光伝送が可能な光伝送システムを提供することにある。
【００１４】
本発明の光伝送システムは、上記課題を解決するために、透光性を有する材料から構成されるコア部、および該コア部の屈折率とは異なる屈折率を有する材料から構成されるクラッド部からなる光伝送路と、電気信号に応じた光信号を前記光伝送路の光入射面に対して照射する発光部を含む光送信部と、前記発光部から前記コア部の光入射面に照射され前記コア部内を伝送する光信号を受信して、該光信号に応じた電気信号を出力する受光部を含む光受信部とを備える少なくとも１つの光伝送モジュールによって、データ信号または制御信号を双方向に伝送可能にする光伝送システムであって、前記光伝送システムは、クロック信号を光信号として伝送する１つの第１のコア部と、前記クロック信号の伝送方向と同方向である第１の方向にデータ信号または制御信号を光信号として伝送する、少なくとも１つの第２のコア部と、前記クロック信号の伝送方向に対して逆方向である第２の方向にデータ信号または制御信号を光信号として伝送する、少なくとも１つの第３のコア部とを備えるとともに、前記第１の方向へ伝送されるデータ信号または制御信号を、前記クロック信号に同期させて前記第２のコア部を介して伝送し、前記第２の方向に伝送されるデータ信号または制御信号を、前記第１のコア部を介して伝送されたクロック信号に同期させて、前記第３のコア部を介して伝送し、前記第３のコア部を介して伝送されたデータ信号または制御信号を、前記第１の方向に伝送される前記クロック信号に同期させることによって、データ信号または制御信号を双方向に伝送することを特徴としている。
【００１５】
上記構成によれば、一方向に伝送されるクロック信号に、双方向の信号を同期させて、信号の送受信を行っているため、前記クロック信号の伝送方向に対して逆方向のクロック信号用の光配線を設けていない。
【００１６】
これにより、前記クロック信号の伝送方向に対して逆方向のクロック信号用の光配線分だけ、光配線スペースを小さくすることが可能となる。従って、光伝送路を用いた携帯電話機等の電子機器をより小型化することができる。
【００１７】
また、光配線では光送信部および光受信部の駆動等に電力が用いられるため、前記クロック信号の伝送方向に対して逆方向のクロック信号用の光配線を設けないことにより、光配線数を減らすことができ、その結果、消費電力を低減することができる。
【００１８】
さらに、前記クロック信号の伝送方向に対して逆方向のクロック信号用の光配線を設けないことにより、光配線数を減らすことができるため、携帯電話機等の電子機器の製造コストを低減することが可能となる。
【００１９】
また、本発明の光伝送システムは、少なくとも１つの前記光伝送路が、前記第１のコア部と、前記第２のコア部と、前記第３のコア部とのうち、少なくとも２つのコア部を備えていることが好ましい。
【００２０】
上記構成によれば、１つの光伝送路、すなわち１つの光伝送モジュールが複数のコア部を備えているため、本発明の光伝送システムを構成する光伝送モジュールの数を減らすことができる。これにより、光配線スペースをさらに小さくすることが可能となる。従って、光伝送路を用いた携帯電話機等の電子機器をより小型化することができる。
【００２１】
また、本発明の光伝送システムは、前記第１のコア部を有する前記光伝送モジュールと、前記第２のコア部を有する前記光伝送モジュールと、前記第３のコア部を有する前記光伝送モジュールとのうち、少なくとも２つの光伝送モジュールのそれぞれにおける前記発光部および前記受光部が、それぞれ、同一の前記光送信部および同一の前記光受信部に備えられていることが好ましい。
【００２２】
上記構成によれば、複数の光伝送モジュールを一体化することにより、商品のバリエーションが広がる。例えば、クロック用コア部を備える光伝送モジュールと、第１の方向に光を伝送するコア部を備える光伝送モジュールとを一体化させたモジュールを１つの商品とし、他の光伝送モジュールの伝送方向が第２の方向となるように組み合わせることによっても本発明の効果を得ることができる。また、クロック用コア部を備える光伝送モジュールと、第１の方向に光を伝送するコア部を備える光伝送モジュールと、第２の方向に光を伝送するコア部を備える光伝送モジュールとを一体化させた１つのモジュールとして商品化することもできる。さらには、いずれかの光伝送モジュールを一体化しているため、光配線を設置するスペースをさらに小さくすることもできる。
【００２３】
また、本発明の光伝送システムは、前記第３のコア部を介して伝送されたデータ信号または制御信号が、前記第１の方向に伝送される前記クロック信号に対して、該クロック信号の半周期以下の時間だけ遅延を有する場合において、前記第３のコア部を介して伝送されたデータ信号または制御信号と、前記第１の方向に伝送される前記クロック信号との同期を、該クロック信号の立下りエッジで取ることが好ましい。
【００２４】
上記構成によれば、前記第２の方向にデータまたは制御信号の光信号を伝送するコア部を介して伝送されたデータまたは制御信号が、前記第１の方向に伝送される前記クロックに対して、一定時間遅延した場合であっても、前記遅延したデータまたは制御信号に対しても正しく同期を取ることができる。
【００２５】
また、本発明の光伝送システムは、前記第３のコア部を介して伝送されたデータ信号または制御信号が、前記第１の方向に伝送される前記クロック信号に対して遅延を有する場合において、前記第１の方向に伝送される前記クロック信号の位相を反転させるクロック反転回路をさらに備え、前記第３のコア部を介して伝送されたデータ信号または制御信号と、前記クロック反転回路によって位相が反転されたクロック信号との同期を、該位相が反転されたクロック信号の立ち上がりエッジで取ることが好ましい。
【００２６】
上記構成によれば、クロック信号を反転させることにより、立下りエッジを立ち上がりエッジと変換することができるため、同期および／または信号の読み取りを立ち上がりエッジでしかできないＣＰＵ（Central Processing Unit）等を含む電子機器にも、本発明の光伝送システムを適用することができる。
【００２７】
また、本発明の光伝送システムは、前記第３のコア部を介して伝送されたデータ信号または制御信号が、前記第１の方向に伝送される前記クロック信号に対して遅延を有する場合において、前記第３のコア部を介して伝送されたデータ信号または制御信号が、前記第１の方向に伝送される前記クロック信号に同期するように、前記クロック信号を予め設定された時間だけ遅延させる遅延回路を備えていることが好ましい。
【００２８】
上記構成によれば、前記第２の方向にデータまたは制御信号の光信号を伝送するコア部を介して伝送されたデータまたは制御信号が、前記第１の方向に伝送される前記クロックに対して一定時間遅延した場合であっても、該遅延時間に相応する時間分だけ前記第１の方向に伝送される前記クロックを遅延させるため、正しく同期を取ることができる。
【００２９】
また、本発明の光伝送システムは、前記第３のコア部を介して伝送されたデータ信号または制御信号が、前記第１の方向に伝送される前記クロック信号に対して遅延を有する場合において、前記第３のコア部を介して伝送されたデータ信号または制御信号が、前記第１の方向に伝送される前記クロック信号に同期するように、前記第２の方向に伝送されるデータ信号または制御信号を予め設定された時間だけ遅延させる、または、前記第３のコア部を介して伝送されたデータ信号または制御信号を予め設定された時間だけ遅延させる、遅延回路を備えていることが好ましい。
【００３０】
例えば、前記第２の方向へ伝送されたデータ等を、前記第１の方向へ伝送する前のクロック信号の、あるパルスの立ち上がりエッジで同期させようとする場合に、第２の方向へデータ等を伝送する速度が遅いと、第２の方向へ伝送されたデータ等が遅延するため、前記パルスの前記立ち上がりエッジで同期させることができなくなる。
【００３１】
しかしながら、上記構成によれば、前記第３のコア部を介して伝送されたデータ信号または制御信号が、前記第１の方向に伝送される前記クロック信号に同期するように、第２の方向へ伝送するデータ等、または第２の方向へ伝送されたデータ等を遅延させることができるため、前記パルスより１周期後の次のパルスにおける立ち上がりエッジで同期させることができる。これにより、同期および／または信号の読み取りを立ち上がりエッジでしかできないＣＰＵ等を含む電子機器にも、本発明の光伝送システムを適用することができる。
【００３２】
また、本発明の光伝送システムにおける、前記遅延回路は、ローパスフィルタと波形整形回路とから構成されていることが好ましい。
【００３３】
パルスを遅延させる方法としては、例えば、パルスをカウントして時間的に遅らせるために内部にタイマーを備える方法も考えられるが、この場合、カウンターなどのロジック回路を有する必要があり、回路構成が複雑になってしまう。また、回路構成が複雑になれば、消費電力の増大をも招来してしまう。
【００３４】
しかしながら、上記構成によれば、カウンター等のロジック回路を有する必要がなくなるため、簡素な回路構成でパルスの遅延を実現することができる。その結果、遅延回路を設置するためのスペースを小さくすることができ、また、消費電力量を低減することも可能となる。
【００３５】
また、本発明は、上記光伝送システムを備えた電子機器であってもよい。
【００３６】
本発明の光伝送システムは、以上のように、前記光伝送システムは、クロック信号を光信号として伝送する１つの第１のコア部と、前記クロック信号の伝送方向と同方向である第１の方向にデータ信号または制御信号を光信号として伝送する、少なくとも１つの第２のコア部と、前記クロック信号の伝送方向に対して逆方向である第２の方向にデータ信号または制御信号を光信号として伝送する、少なくとも１つの第３のコア部とを備えるとともに、前記第１の方向へ伝送されるデータ信号または制御信号を、前記クロック信号に同期させて前記第２のコア部を介して伝送し、前記第２の方向に伝送されるデータ信号または制御信号を、前記第１のコア部を介して伝送されたクロック信号に同期させて、前記第３のコア部を介して伝送し、前記第３のコア部を介して伝送されたデータ信号または制御信号を、前記第１の方向に伝送される前記クロック信号に同期させることによって、データ信号または制御信号を双方向に伝送するものである。
【００３７】
従って、光配線用のスペースの狭小化を実現するとともに、安価かつ低消費電力で双方向に光伝送が可能な光伝送システムを提供することができる。
【図面の簡単な説明】
【００３８】
【図１】本発明における光伝送システムの概略構成を示す図である。
【図２】図２の（ａ）は、本実施形態に係る光伝送システムを備えた折り畳み式携帯電話機の外観を示す斜視図であり、図２の（ｂ）は、図２の（ａ）に示した、本実施形態に係る光伝送システムを備えた折り畳み式携帯電話機における、ヒンジ部の透視平面図である。
【図３】本発明の一実施形態に係る携帯電話機の内部の概略構成を示す図である。
【図４】本発明の一実施形態に係る光伝送モジュールの概略構成を示す図である。
【図５】図５の（ａ）は、光伝送路における光伝送の状態を模式的に示す図であり、図５の（ｂ）は、光伝送路の断面図である。
【図６】本発明の一実施形態に係る光伝送モジュールで伝送されるデータ信号とクロック信号との関係を示すタイミングチャートである。
【図７】本発明の他の実施形態に係る光伝送モジュールで伝送されるデータ信号とクロック信号との関係を示すタイミングチャートである。
【図８】本発明の他の一実施形態に係る携帯電話機の内部の概略構成を示す図である。
【図９】本発明のさらに他の実施形態に係る光伝送モジュールで伝送されるデータ信号とクロック信号との関係を示すタイミングチャートである。
【図１０】本発明のさらに他の一実施形態に係る携帯電話機の内部の概略構成を示す図である。
【図１１】本発明のさらに他の実施形態に係る光伝送モジュールで伝送されるデータ信号とクロック信号との関係を示すタイミングチャートである。
【図１２】本発明のさらに他の実施形態に係る光伝送モジュールで伝送されるデータ信号とクロック信号との関係を示すタイミングチャートである。
【図１３】本発明の他の一実施形態に係る光伝送モジュールの概略構成を示す図である。
【図１４】本発明における光伝送システムの他の実施の形態を示す概略構成図である。
【図１５】本発明における光伝送システムのさらに他の実施の形態を示す概略構成図である。
【図１６】本発明における光伝送システムのさらに他の実施の形態を示す概略構成図である。
【図１７】本発明における光伝送システムのさらに他の実施の形態を示す概略構成図である。
【図１８】本発明における光伝送システムのさらに他の実施の形態を示す概略構成図である。
【図１９】本実施形態に係る光伝送路を備えたハードディスク記録再生装置の外観を示す斜視図である。
【図２０】従来の光伝送システムを示すブロック図である。
【図２１】従来の光伝送システムを示すブロック図である。
【符号の説明】
【００３９】
１  光伝送システム
２  基板
３  基板
４  ＣＰＵ
５，２７，３１  光送信処理部
６，２９，３２  光伝送路（光伝送路）
７  光受信処理部
８，９，１０  光伝送モジュール
１１  ＬＣＤ
１２  カメラ
２１  発光部
２４  受光部
３３  コア部
３３ａ  コア部（第１のコア部）
３３ｂ  コア部（第２のコア部）
３３ｃ  コア部（第３のコア部）
３４  クラッド部
４０  携帯電話機
【発明を実施するための最良の形態】
【００４０】
〔実施の形態１〕
本発明の一実施形態について図１ないし図６に基づいて説明すれば、以下の通りである。【００４１】
本実施の形態では、操作キーを備える本体部と、表示画面を備える蓋部と、前記本体部に前記蓋部を回転可能に接続するヒンジ部とからなる折り畳み式携帯電話機において、前記本体部及び前記蓋部間での情報伝送を、ヒンジ部内に設けられた双方向の光伝送システムを介して行う。【００４２】
図１は、本実施形態の折り畳み式携帯電話機４０内に設けられた光伝送システム１の概略構成を示す図である。図２の（ａ）は、光伝送システム１を内蔵した折り畳み式携帯電話機４０の外観を示す斜視図である。図２の（ｂ）は、図２の（ａ）、即ち、光伝送システム１を備えた折り畳み式携帯電話機４０におけるヒンジ部４１（破線で囲んだ部分）の透視平面図である。【００４３】
図２に示すように、本実施形態の折り畳み式携帯電話機４０（以下、単に「携帯電話機４０」と称する）は、本体部４２と、本体部４２の一端に設けられたヒンジ部４１と、ヒンジ部４１を軸として回転可能に備えられる蓋部４３とから構成されている。【００４４】
本体部４２は、携帯電話機４０を操作するための操作キー４４を備え、内部には基板２（図１参照）を備えている。また、蓋部４３は、表示画面４５および図示しないカメラを備え、内部に基板３（図１参照）を備えている。【００４５】
また、本体部４２と蓋部４３との情報伝送は、図２の（ｂ）で示すように、ヒンジ部４１内に備えられる光伝送システム１を介して行われる。【００４６】
図３は、携帯電話機４０の内部の概略構成を示す図である。携帯電話機４０の内部の構成について、図３を用いて具体的に説明する。【００４７】
図３に示すように、本体部４２側の基板２には、制御部であるＣＰＵ４と、シリアル／パラレル変換器１５と、クロック信号を生成するクロック発生器３５とを備える。【００４８】
シリアル／パラレル変換器１５は、パラレル（並列）の信号をシリアル（直列）の信号（以下、「シリアル信号」と称する）に変換するシリアライザー１３と、シリアルの信号（以下、「シリアル信号」と称する）をパラレルの信号（以下、「パラレル信号」と称する）に変換するデシリアライザー１４とを含む構成である。【００４９】
蓋部４３側の基板３には、ＣＰＵ４から転送された画像データに基づいて画像を表示するＬＣＤ（Liquid Crystal Display）１１と、ＬＣＤ１１を駆動制御するＬＣＤ駆動部１９と、被写体を撮影するカメラ１２と、カメラ１２を駆動制御するカメラ駆動部２０と、シリアル／パラレル変換器１８とを備える。シリアル／パラレル変換器１８は、シリアライザー１６とデシリアライザー１７とを含む構成である。【００５０】
（光伝送システムの構成）
次に光伝送システム１の構成について説明する。【００５１】
光伝送システム１は、基板２と基板３とを接続し、本体部４２及び蓋部４３間における情報伝送に用いられる。光伝送システム１は、基板２側から基板３側（第１の方向）へデータを伝送する光配線である光伝送モジュール８と、基板２側から基板３側へクロック信号を伝送する光配線である光伝送モジュール９と、基板３側から基板２側（第２の方向）へデータを伝送する光配線である光伝送モジュール１０とを含む。【００５２】
基板２側から基板３側へ転送するデータの具体例としては、ＬＣＤ１１またはカメラ１２を駆動させるための駆動信号、もしくはＬＣＤ１１で表示させる画像データ等が挙げられる。また、基板３側から基板２側へ転送するデータの具体例としては、カメラ１２で撮影した画像データが挙げられる。【００５３】
図４は、本実施形態の光伝送モジュールの概略構成を示した図である。【００５４】
光伝送モジュール８は、図４に示すように、光送信処理部５、光伝送路６、及び光受信処理部７を備えている。光送信処理部（光送信部；Ｔｘ）５は、発光部２１と、インタフェース回路２２（以下「Ｉ／Ｆ回路」と称する）と、発光駆動部２３とを備える構成となっている。【００５５】
発光部２１は、発光駆動部２３による駆動制御に基づいて発光する。この発光部２１は、例えばＶＣＳＥＬ（Vertical Cavity-Surface Emitting Laser）などの発光素子によって構成される。【００５６】
Ｉ／Ｆ回路２２は、光伝送モジュール８内に入力される電気信号の電気配線と発光駆動部２３とを電気的に接続するものである。発光駆動部２３は、例えば発光駆動用のＩＣ（Integrated Circuit）によって構成され、光伝送モジュール８外から入力された電気信号に基づいて発光部２１の発光を駆動するものである。【００５７】
このように、光送信処理部５は、該光送信処理部５に入力された電気信号を、該電気信号に応じた光信号に変換して、光伝送路６に出力するものである。【００５８】
光受信処理部（光受信部；Ｒｘ）７は、受光部２４と、Ｉ／Ｆ回路２５と、増幅部２６とを備えた構成となっている。受光部２４は、ＰＤ（Photo-Diode）などの受光素子によって構成される。Ｉ／Ｆ回路２５は、光伝送モジュール８外へ電気信号を伝送するための電気配線と増幅部２４との電気接続部である。増幅部２６は、例えば増幅用のＩＣによって構成される。【００５９】
このように、光受信処理部７は、光伝送路６から出力された光信号を、該光信号に応じた電気信号に変換した後、所望の信号値に増幅して外部に出力するものである。【００６０】
光伝送路６は、発光部２１から出射された光を受光部２４まで伝送する媒体である。この光伝送路６の構成について、図５を用いて説明する。【００６１】
図５の（ａ）は光伝送路６における光伝送の状態を模式的に示す図である。図５の（ｂ）は光伝送路６の側面図である。【００６２】
光伝送路６は、可撓性を有する柱状形状の部材によって構成され、具体的には、図５の（ｂ）に示すように、光伝送方向を軸とする柱状形状のコア部３３と、コア部３３の周囲を囲むように設けられたクラッド部３４とを備えた構成となっている。コア部３３及びクラッド部３４は透光性を有する材料によって構成されているとともに、コア部３３の屈折率は、クラッド部３４の屈折率よりも高くなっている。コア部３３に入射した光信号は、コア部３３内部で全反射を繰り返すことによって光伝送方向に伝送される。【００６３】
コア部３３およびクラッド部３４を構成する材料としては、ガラスまたはプラスチックなどを用いることが可能であるが、十分な可撓性を有する光伝送路６を構成するためには、アクリル系、エポキシ系、ウレタン系、およびシリコーン系等の樹脂材料を使用することが好ましい。【００６４】
また、光伝送路６の光入射側端部には光入射面６Ａが設けられているとともに、光出射側端部には光出射面６Ｂが設けられている。【００６５】
本実施形態の光伝送路６は、図１に示すように、コア部３３ｂ（第２のコア部）を介して、基板２側から基板３側（第１の方向）へデータを伝送するものである。【００６６】
光伝送モジュール９は、光送信処理部２７と、光受信処理部２８と、光伝送路２９とを備えている。また、光伝送路２９は、第１の方向にクロック信号を伝送するコア部３３ａ（第１のコア部）（図１参照）と、コア部３３ａの周囲を囲むように設けられた図示しないクラッド部とから構成されている。該クラッド部とコア部３３ａとは、光伝送路６のコア部３３ｂ及びクラッド部３４のそれぞれと同一の構成をしている。【００６７】
また、光伝送モジュール１０は、光送信処理部３０と、光受信処理部３１と光伝送路３２とを備えている。光伝送路３２は、第２の方向にデータを伝送するコア部３３ｃ（第３のコア部）（図１参照）と、コア部３３ｃの周囲を囲むように設けられた図示しないクラッド部とから構成されている。該クラッド部とコア部３３ｃとは、光伝送路６のコア部３３ｂ及びクラッド部３４のそれぞれと同一の構成をしている。【００６８】
光送信処理部２７・３０、光受信処理部２８・３１は、それぞれ、光伝送モジュール８の光送信処理部５、光受信処理部７の構成と同一であるため、詳細な説明は省略する。【００６９】
（光伝送システムの動作）
次に、本体部４２と蓋部４３との間、すなわち基板２と基板３との間での情報転送について図３、図４、図６、図７を用いて説明すれば、以下の通りである。【００７０】
図６は、基板２側から基板３側へ伝送されるデータ信号及びクロック信号と、基板３側から基板２側へ伝送されるデータ信号との関係を示した図である。図６の（ａ）は基板２側における前記各信号の関係を示した図であり、図６の（ｂ）は基板３側における前記各信号の関係を示した図である。【００７１】
また、本実施形態のＣＰＵ４、ＬＣＤ駆動部１９、およびカメラ駆動部２０はパラレル信号でデータ通信を行い、光伝送路６ではシリアル信号で伝送を行うこととする。【００７２】
まず、ＣＰＵ４が、ＬＣＤ１１において画像を表示させるために、画像データをＬＣＤ駆動部１９に転送する場合について図３を用いて説明する。ＣＰＵ４は、ＬＣＤ１１で表示させる画像の画像データ信号（Data１）をパラレル信号で出力する。ＣＰＵ４から出力されたData１は、シリアライザー１３に入力される。【００７３】
一方、クロック発生器３５は、ある一定のタイミングでクロック信号を発生し、シリアル／パラレル変換器１５に出力する。【００７４】
シリアル／パラレル変換器１５は、シリアライザー１３でシリアル信号に変換されたData１を、クロック発生器３５から取得したクロック信号に同期させて、Data１を光伝送モジュール８の光送信処理部５へ、またクロック信号を光伝送モジュール９の光送信処理部２７にそれぞれ出力する。【００７５】
クロック発生器３５で発生されたクロック信号とＣＰＵ４から出力された画像データ信号（Data１）との関係は、図６の（ａ）で示す通りである。【００７６】
ここで、シリアル／パラレル変換器１５は、図６の（ａ）で示すように、Data１をクロック信号の立ち上がりエッジで同期させることによって、クロック信号への同期を行っている。【００７７】
Data１は、光送信処理部５のＩ／Ｆ回路２２を介して、発光駆動部２３に入力される。そして、発光駆動部２３が発光部２１を駆動させることにより、発光部２１が発光する。発光部２１から出射された光は、光信号として光伝送路６の光入射側端部に照射される。具体的には、図５に示すように、発光部２１から出射された光は、光伝送路６の光入射側端部に対して、光伝送路６の光伝送方向に対して垂直となる方向から入射される。入射された光は、光入射面６Ａにおいて反射されることによって光伝送路６内を進行する。光伝送路６内を進行して光出射側端部に到達した光は、光出射面６Ｂにおいて反射されることによって、光伝送路６の光伝送方向に対して垂直となる方向へ出射される。出射された光は、受光部２４に照射される。【００７８】
受光部２４は、光伝送路６の光出射側端部から出射されたData１の光信号の光を受光し、光電変換によって電気信号に変換し、該電気信号を増幅部２６に出力する。増幅部２６は、受光部２４からのData１の電気信号を増幅した後、Ｉ／Ｆ回路２５を介して、シリアル／パラレル変換器１８に出力する。【００７９】
また、光伝送モジュール９の構成と光伝送モジュール８の構成とが同一であるため、光送信処理部２７に入力されたクロック信号は、Data１と同様に、光伝送モジュール９を介して基板３側へ伝送される。具体的には、前記クロック信号は、光送信処理部２７において光信号に変換され、光伝送路２９を介して光受信処理部２８に伝送される。光受信処理部２８に入力されたクロック信号は、電気信号に変換され、シリアル／パラレル変換器１８に出力される。【００８０】
シリアル／パラレル変換器１８は、基板２側から伝送されたシリアル信号のData１を、前記入力されたクロック信号に同期させた後、デシリアライザー１７でパラレル信号に変換し、ＬＣＤ駆動部１９に入力する。【００８１】
ここで、シリアル／パラレル変換器１８は、シリアル／パラレル変換器１５と同様に、Data１をクロック信号の立ち上がりエッジに同期させることによって、Data１のクロック信号への同期を行っている。この様子を図６の（ｂ）に示す。【００８２】
ＬＣＤ駆動部１９は、Data１に基づき、前記画像データの書き込みを行い、ＬＣＤ１１の表示制御を行う。ＬＣＤ１１は、ＬＣＤ駆動部１９の制御により、ＣＰＵ４から伝送された画像データに基づいた画像を表示する。【００８３】
次に、カメラ１２において取得した画像データをＣＰＵ４に転送する場合について説明する。【００８４】
カメラ１２は、撮影することにより取得した被写体の画像の画像データ信号（Data２）を、カメラ駆動部２０を介して、シリアル／パラレル変換器１８のシリアライザー１６に出力する。シリアル／パラレル変換器１８は、シリアライザー１６でData２をシリアル信号に変換し、変換したData２を、基板２側から光伝送モジュール９を介して伝送されたクロック信号に同期させて、光伝送モジュール１０の光送信処理部３０に出力する。【００８５】
光伝送モジュール９を介して伝送されたクロック信号と、カメラ駆動部２０から出力された画像データ信号（Data２）との関係は、図６の（ｂ）で示す通りである。【００８６】
ここで、シリアル／パラレル変換器１８は、図６の（ｂ）で示すように、Data２をクロック信号の立ち上がりエッジに同期させることによって、クロック信号への同期を行っている。【００８７】
光送信処理部３０に入力されたData２は、Data１と同様に、光送信処理部３０において光信号に変換され、光伝送路３２を介して光受信処理部３１に伝送される。光受信処理部３１に入力されたData２は、電気信号に変換され、シリアル／パラレル変換器１５に入力される。【００８８】
シリアル／パラレル変換器１５は、クロック信号用の光伝送モジュール９を通る前のクロック信号、すなわち、クロック発生器３５から直接取得したクロック信号に、前記入力されたData２を同期させた後、デシリアライザー１４でパラレル信号に変換し、ＣＰＵ４へ出力する。【００８９】
クロック発生器３５で発生されたクロック信号と、光伝送モジュール１０を介してカメラ駆動部２０から伝送されたData２の信号との関係は、図６の（ａ）で示す通りである。【００９０】
ここで、シリアル／パラレル変換器１５は、図６の（ａ）で示すように、Data２をクロック信号の立ち上がりエッジで同期を行っている。【００９１】
上記構成によれば、基板２側から基板３側への一方向に伝送されるクロック信号に、基板２側から基板３側へ伝送されるデータ信号及び基板３側から基板２側へ伝送されるデータ信号を同期させてデータの送受信を行っているため、基板３側から基板２側へ伝送されるクロック信号が不要となる。すなわち、基板３側から基板２側方向へのクロック信号用の光配線（光伝送モジュール）を設ける必要がなくなる。よって、前記基板３側から基板２側へのクロック信号用の光配線分だけ、光配線スペースを小さくすることが可能となる。従って、携帯電話機４０のより小型化を図ることができる。【００９２】
また、基板３側から基板２側へのクロック信号用の光配線を設ける必要がなくなることにより、この光配線の駆動等で用いられる電力分だけ消費電力を節約できる。また、携帯電話機４０の製造過程での基板３側から基板２側へのクロック信号用の光配線のコストが不要となるため、製造コストの低減も可能となる。【００９３】
ところで、図７は、カメラ１２の画像データを生成する動作速度および／または光伝送モジュール１０のデータの転送速度が遅い場合における、基板２側から基板３側へ伝送されるデータ信号及びクロック信号と、基板３側から基板２側へ伝送されるデータ信号との関係を示した図である。【００９４】
本実施形態において、カメラ１２からＣＰＵ４に画像データを伝送する場合、シリアル／パラレル変換器１８は、基板２側から伝送されてきたクロック信号の立ち上がりエッジでData２を同期させて、基板２側へData２を伝送している。また、シリアル／パラレル変換器１５は、伝送されてきたData２をクロック発生器３５で発生したクロック信号の立ち上がりエッジで同期させている。【００９５】
しかしながら、カメラ１２における画像データを生成する動作速度および／または光伝送モジュール１０のデータの転送速度が遅い場合には、基板２のシリアル／パラレル変換器１５に到達するData２は、クロック発生器３５で発生するクロック信号に対してある一定時間の遅延を生じてしまう。この場合、シリアル／パラレル変換器１５が、クロック信号の立ち上がりエッジでData２を同期させようとすると、図７の（ａ）で示すように、Data２がまだ到達しておらず、１か０かを正しく読み取ることができない。【００９６】
そこで、シリアル／パラレル変換器１５・１８は、クロック発生器３５で発生されるクロック信号に対するData２の前記一定時間の遅延が大きい場合には、位相が半周期だけ遅れている立下りエッジで同期をとるようにしてもよい。ただし、前記一定時間の遅延がクロック信号の半周期以内である場合に限る。【００９７】
上記構成によれば、Data２がクロック発生器３５で発生したクロック信号に対してある一定時間遅延した場合であっても、遅延したData２に対して正しい値を読み取ることが可能となる。【００９８】
〔実施の形態２〕
本実施の形態では、シリアル／パラレル変換器１５が、クロック発生器３５で発生されるクロック信号に対するData２の遅延が大きいことにより、立下りエッジで同期をとる必要がある場合において、クロック反転回路によってクロック信号の１と０の値を反転させて、立ち上がりエッジで同期をとるように転換する場合について図８及び図９を用いて説明する。【００９９】
本実施の形態の携帯電話機は、クロック反転回路３６を含む基板５０を備える点で、実施の形態１の携帯電話機４０とは異なるが、その他の構成は実施の形態１の携帯電話機４０と同一の構成である。よって、本実施形態では、実施の形態１の携帯電話機４０と同一の構成については、説明を省略する。【０１００】
図８は、本実施の形態の携帯電話機における内部の概略構成を示す図である。【０１０１】
また、図９は、クロック発生器３５で発生されたクロック信号（Clock）と、クロック発生器３５から発生したクロック信号の位相を反転させたクロック信号（Clock２）と、基板３から光伝送モジュール１０を介して伝送されてきたData２との関係を示す図である。【０１０２】
図８に示すように、本実施の形態における携帯電話機の基板５０は、制御部であるＣＰＵ４と、シリアル／パラレル変換器１５と、クロック信号を発生するクロック発生器３５と、クロック信号の１と０の値を反転させるクロック反転回路３６とを備える。シリアル／パラレル変換器１５は、シリアライザー１３と、デシリアライザー１４とを含む構成である。【０１０３】
クロック反転回路３６は、クロック発生器３５で発生されたクロック信号（Clock）の位相を反転させたクロック信号（Clock２）を生成する回路である。【０１０４】
次に、カメラ１２において取得した画像データをＣＰＵ４に転送する場合の、クロック反転回路３６の具体的な動作について説明すると、以下の通りである。【０１０５】
カメラ１２は、撮影することにより取得した被写体の画像の画像データ信号（Data２）を、カメラ駆動部２０を介して、シリアル／パラレル変換器１８のシリアライザー１６に出力する。シリアル／パラレル変換器１８は、シリアライザー１６でData２をシリアル信号に変換し、変換したData２を、基板５０側から光伝送モジュール９を介して伝送されたクロック信号（Clock）に同期させて、光伝送モジュール１０の光送信処理部３０に出力する。【０１０６】
光送信処理部３０に入力されたData２は、Data１と同様に、光送信処理部３０において光信号に変換され、光伝送路３２を介して光受信処理部３１に伝送される。光受信処理部３１に入力されたData２は、電気信号に変換され、シリアル／パラレル変換器１５に入力される。【０１０７】
シリアル／パラレル変換器１５は、クロック発生器３５から発生する信号のうち、クロック反転回路３６を経由して、シリアル／パラレル変換器１５に入力されるクロック信号、すなわち位相が反転された反転クロック信号（Clock２）に、前記入力されたData２を同期させる。そして、シリアル／パラレル変換器１５は、反転クロック信号（Clock２）に同期させたData２をデシリアライザー１４によってパラレル信号に変換し、ＣＰＵ４へ出力する。このときの同期は、反転クロック信号の立ち上がりエッジで取るものとする。【０１０８】
クロック発生器３５で発生したクロック信号（Clock）と、反転クロック信号（Clock２）と、基板３側から伝送された画像データ信号（Data２）との関係は、図９で示す通りである。【０１０９】
上記構成によれば、クロック信号を反転させることにより、立下りエッジを立ち上がりエッジと変換することができるため、立ち上がりエッジでしか同期させることができないシリアル／パラレル変換器１５や、又は立ち上がりエッジでしか読み取れないＣＰＵ４等に対しても立下りエッジで同期を取ったり、読み取ったりすることが可能となる。【０１１０】
また、本実施の形態では、クロック反転回路３６は、常時起動していることを前提としているが、本発明のクロック反転回路は、これに限定されず、カメラ側が、被写体の画像を取り込んだときに、クロック反転回路を起動させる構成であってもよい。【０１１１】
〔実施の形態３〕
本実施の形態では、クロック発生器３５で発生したクロック信号に対してData２の遅延が大きくなり、立下りエッジで同期をとる必要がある場合に、前記クロック信号を積分器と比較器とによって遅延させて、Data２との同期を立ち上がりエッジでとる場合について、図１０及び図１１を用いて説明する。【０１１２】
本実施の形態の携帯電話機は、遅延回路６３を含む基板６０を備える点で、実施の形態１の携帯電話機４０とは異なるが、その他の構成は実施の形態１の携帯電話機４０と同一の構成である。よって、本実施形態では、実施の形態１の携帯電話機４０と同一の構成については、説明を省略する。【０１１３】
図１０の（ａ）は、本実施の形態における携帯電話機の内部の概略構成を示す図であり、図１０の（ｂ）は、積分器（ローパスフィルタ）６１及び比較器（波形整形回路）６２とからなる遅延回路６３によってクロック信号を遅延させる様子を示した図である。【０１１４】
また、図１１は、クロック発生器３５で発生されたクロック信号（Clock）と、前記クロック信号（Clock）を積分器等によって遅延させたクロック信号（Clock３）と、基板３から光伝送モジュール１０を介して伝送されてきたData２との関係を示す図である。【０１１５】
図１０の（ａ）で示すように、本実施の形態における携帯電話機の基板６０は、制御部であるＣＰＵ４と、シリアル／パラレル変換器１５と、クロック信号を発生するクロック発生器３５と、遅延回路６３とを備える。また、シリアル／パラレル変換器１５は、シリアライザー１３と、デシリアライザー１４とを含む構成である。また、遅延回路６３は、積分器６１と比較器６２とを内部に備えている。【０１１６】
積分器６１は、クロック発生器３５で発生したクロックのパルスを積分するものであり、具体的にはローパスフィルタからなる。比較器６２は、積分された前記パルスを整形するものである。積分器６１と比較器６２とによって、クロック信号を遅延させることが可能となる。具体的には、図１０の（ｂ）に示すように、積分器６１に入力される前のクロック信号の状態は(１)であるが、積分器６１によって積分されると、前記クロック信号のパルスの状態は（２）の状態に移行する。この状態では、前記クロック信号はパルスとして認識されないため、比較器６２を用いてパルスとして認識されるように整形され、パルスの状態は（３）の状態に移行する。図１０の（ｂ）の、（１）と（３）とで示されるように、積分器６１と比較器６２とによって積分、整形されたパルス（３）は、積分器６１及び比較器６２に入力される前のパルス（１）よりも遅延する。このクロック発生器３５で発生したクロック信号（Clock）に対して遅延を有する、積分器６１および比較器６２によって生成されたクロック信号を遅延クロック信号（Clock３）とする。【０１１７】
次に、カメラ１２において取得した画像データをＣＰＵ４に転送する場合の、積分器６１及び比較器６２の具体的な動作について、図１０の（ａ）を用いて説明すると、以下の通りである。【０１１８】
カメラ１２は、撮影することにより取得した被写体の画像の画像データ信号（Data２）を、カメラ駆動部２０を介して、シリアル／パラレル変換器１８のシリアライザー１６に出力する。シリアル／パラレル変換器１８は、シリアライザー１６でData２をシリアル信号に変換し、変換したData２を、基板６０側から光伝送モジュール９を介して伝送されたクロック信号（Clock）に同期させて、光伝送モジュール１０の光送信処理部３０に出力する。【０１１９】
光送信処理部３０に入力されたData２は、Data１と同様に、光送信処理部３０において光信号に変換され、光伝送路３２を介して光受信処理部３１に伝送される。光受信処理部３１に入力されたData２は、電気信号に変換され、シリアル／パラレル変換器１５に入力される。【０１２０】
シリアル／パラレル変換器１５は、クロック発生器３５から発生した信号のうち、積分器６１および比較器６２を経由してシリアル／パラレル変換器１５に入力される、遅延クロック信号（Clock３）に、前記入力されたData２を同期させる。そして、シリアル／パラレル変換器１５は、遅延クロック信号（Clock３）に同期させたData２を、デシリアライザー１４でパラレル信号に変換し、ＣＰＵ４へ出力する。【０１２１】
上記構成によれば、クロック信号を遅延させることができるため、遅延するData２に対しても立下りエッジでなく、立ち上がりエッジで同期させることができるようになる。【０１２２】
従って、立ち上がりエッジでしか同期させることができないシリアル／パラレル変換器１５、又は立ち上がりエッジでしか読み取れないＣＰＵ４等に対しても立下りエッジで同期を取ったり、読み取ったりすることが可能となる。【０１２３】
また、本実施の形態では、積分器６１および比較器６２は、常時起動していることを前提としているが、本発明のローパスフィルタ（積分器６１に相当）および波形整形回路（比較器６２に相当）は、これに限定されず、カメラ側が、被写体の画像を取り込んだときに、ローパスフィルタおよび波形整形回路を起動させる構成であってもよい。【０１２４】
また、実施の形態３では、前記クロック信号を積分器と比較器とによって遅延させて、Data２との同期を立ち上がりエッジでとる場合について説明したが、本発明はこれに限らず、Data２を遅延させてもよい。具体的には、図３、すなわち実施の形態１と同じ構成を用いて説明すると、以下の通りである。【０１２５】
図１２は、基板２側から基板３側へ伝送されるData１と、クロック発生器３５で発生したクロック信号（Clock）と、基板３側から基板２側へ伝送されるData２との関係を示す図である。【０１２６】
クロック発生器３５で発生したクロック信号に対して、Data２がある一定時間の遅延を生じる場合、図１２に示すように、光伝送モジュール１０のデータの転送速度によるData２の遅延を考慮して、予めData２を遅延させてもよい。具体的には、図１２の（ｂ）で示すように、クロック信号（i）の立ち上がりエッジで同期させようとすると、クロック信号に対してData２が遅延するため、シリアル／パラレル変換器１５は、Data２の１か０かを正しく読み取ることができない。そこで、シリアル／パラレル変換器１５が、Data２をクロック信号に同期させるときに、図１２の（ａ）で示すように、予めData２を時間ｔだけ遅延させて、次のクロック信号（ii）の立ち上がりエッジで同期させるようにしてもよい。【０１２７】
また、シリアル／パラレル変換器１８で、Data２をクロック信号に同期させて、基板２の方向へ伝送する際に、Data２を時間ｔだけ予め遅延させるようにしてもよい。【０１２８】
上記Data２を時間ｔだけ予め遅延させるのに、実施の形態３でクロック信号を遅延させるのに用いた遅延回路６３を用いることができる。この場合、シリアル／パラレル変換器１５で同期させる際に、Data２を遅延させる場合には、基板２が前記遅延回路６３を備えてもよく、また、シリアル／パラレル変換器１８で同期させる際にData２を遅延させる場合には、基板３が前記遅延回路６３を備えてもよい。【０１２９】
なお、前記時間ｔは、光伝送モジュール１０のデータの転送速度によって適宜変更可能である。【０１３０】
上記構成によれば、Data２がクロック発生器３５で発生したクロック信号に対してある一定時間遅延した場合であっても、遅延したData２に対して正しい値を読み取ることが可能となる。また、立ち上がりエッジでしか同期させることができない、すなわち、立下りエッジで同期させることができないシリアル／パラレル変換器１５であっても、同期させることができ、遅延したData２に対して正しい値を読み取ることが可能となる。【０１３１】
実施の形態１〜３では、基板２側から基板３側へデータ信号を伝送する光伝送モジュール８と、クロック信号を伝送する光伝送モジュール９と、基板３側から基板２側へデータ信号を伝送する光伝送モジュール１０との３つの光伝送モジュールから構成されている光伝送システムについて説明したが、本発明はこれに限定されない。具体的には、本発明の光伝送システムは基板３側から基板２側へデータ信号を伝送する光伝送モジュール及び基板３側から基板２側へデータ信号を伝送する光伝送モジュールを複数個備える構成であってもよい。【０１３２】
図１８は、３つのコア部を内部に有する光伝送路の一部を示した斜視図である。【０１３３】
また、本発明の光伝送システムは、図１８に示すように、１つの光伝送モジュールから構成され、その光伝送路６が、基板２側から基板３側へクロック信号の光信号を伝送するコア部３３ａと、基板２側から基板３側へデータの光信号を伝送するコア部３３ｂと、基板３側から基板２側へデータの光信号を伝送するコア部３３ｃとを内部に並列に備える構成であってもよい。すなわち、以下のような構成であってもよい。【０１３４】
本発明は、双方向に光を伝送するコア部を少なくとも１対備えるとともに、前記コア部のそれぞれの入射面に光を入射する発光部と、前記発光部から前記コア部を介して到達した光を受光する受光部とを備える、双方向に光伝送が可能な光伝送モジュールであって、前記光伝送モジュールは、前記コア部のどちらか一方の光伝送方向と同方向にクロック信号を伝送するコア部を備え、前記双方向の光伝送は、前記クロック信号に同期させて行う構成であってもよい。【０１３５】
実施の形態１〜３では、ＣＰＵ４、ＬＣＤ駆動部１９、カメラ駆動部２０がパラレルの信号でデータ通信を行い、光伝送路６がシリアルの信号でデータ伝送を行っているため、シリアル／パラレル変換器を備えているが、本発明はこれに限定されない。たとえば、図１で示すように、前記ＣＰＵ４、ＬＣＤ駆動部１９、カメラ駆動部２０がシリアルの信号でデータ通信を行う場合には、図１に示すように、シリアル／パラレル変換器を備えなくてもよい。この場合、基板２・５０・６０側における画像データ信号等のクロック信号への同期は、ＣＰＵ４で行われ、基板３側における同期は、カメラ１２やＬＣＤ１１で行われるものとする。また、シリアル／パラレル変換器としての機能を有するＩＣ（集積回路）等のデバイスを別途備える構成であってもよい。具体的には、基板２・５０・６０に、基板２・５０・６０側における同期の制御を行うＩＣを別途備え、該ＩＣを介して、基板３と通信するような構成であってもよい。また、同様に、基板３に、カメラ１２やＬＣＤ１１の制御を行うＩＣを別途備え、該ＩＣを介して、基板２側のＣＰＵ４と通信をするような構成であってもよい。【０１３６】
また、実施の形態１〜３では、光送信処理部５がＩ／Ｆ回路２２及び発光駆動部２３を内部に備える構成であるが、本発明はこれに限定されず、図１３のように、Ｉ／Ｆ回路２２及び発光駆動部２３を光送信処理部５の外部に設けてもよい。また、図示していないが、光送信処理部５が、発光部２１及び発光駆動部２３を内部に備え、Ｉ／Ｆ回路２２のみを光送信処理部５の外部に設ける構成であってもよい。【０１３７】
これにより、発光駆動部２３をＣＰＵ４やシリアライザー１３等のその他の回路と同一基板上に備えることができ、すなわち、その他の回路と一体化することが可能となるため、コストダウンや消費電力を低減することができる。【０１３８】
なお、図示してないが、光受信処理部７も同様に、Ｉ／Ｆ回路２５及び増幅部２６を光受信処理部７の外部に設ける構成であってもよいし、Ｉ／Ｆ回路２５のみを外部に設ける構成であってもよい。【０１３９】
また、実施の形態１〜３の光伝送システム１では、光伝送モジュール８・９・１０がそれぞれ独立して取り外し、または設置することが可能な構成であったが、本発明はこれに限定されない。例えば、図１４に示すように、同方向に信号が伝送される光伝送モジュール８・９の光送信処理部５・２７及び光受信処理部７・２８がそれぞれ一体化された構成であってもよい。【０１４０】
上記構成によれば、同方向の光伝送モジュールを一体化しているため、クロック信号用の光伝送路とデータ伝送用の光伝送路とを一対としたモジュールとして商品化することが可能となる。また、同方向の一体化した光伝送モジュールに、逆方向の光伝送モジュールを組み合わせてもよいし、同方向の光伝送モジュールと組み合わせてもよいため、伝送方向に関係なく、データ伝送用の光配線を自由に組み合わせることが可能となる。また、２つの光伝送モジュールを一体化することにより、光配線を設置するスペースを小さくすることができる。【０１４１】
また、本発明の光伝送システム１は、図１５に示すように、双方向に信号が伝送される光伝送モジュール９・１０の光送信処理部２７と光受信処理部３１とが一体化され、光受信処理部２８と光送信処理部３０とがそれぞれ一体化された構成であってもよい。【０１４２】
上記構成によれば、双方向通信の光配線を一対にして商品化することが可能であるため、汎用性がある。２つの光伝送モジュールを一体化することにより、光配線を設置するスペースを小さくすることができる。【０１４３】
また、本発明の光伝送システム１は、図１６に示すように、光伝送モジュール８・９・１０の光送信処理部５・２７及び光受信処理部３１が一体化され、光受信処理部７・２８及び光送信処理部３０が一体化された構成であってもよい。【０１４４】
上記構成によれば、３つの光伝送モジュールを一体化することができるため、光配線を設置するスペースをより小さくすることができる。【０１４５】
また、本発明は、図１７に示すように、光伝送モジュール８・９・１０によって双方のデータ伝送を行う基板２と基板３とが同一基板上に備えられる電子回路であってもよい。【０１４６】
例えば、ＰＣ（Personal Computer）等では１枚の基板内での信号伝送速度の高速化が進み、ＣＰＵとメモリ間や画像処理などの各プロセッサとのやりとりも将来的には光化されていくと予想されている。上記構成によれば、実施の形態１〜３で説明した折り畳み式携帯電話機等のように２つに基板が分かれたもののみならず、上記のような場合にも適用することが可能となる。【０１４７】
（応用例）
本発明の光伝送システムは、例えば以下のような応用例にも適用することが可能である。実施の形態１〜３では、第１の応用例として折り畳み式携帯電話機４０に適用した例を用いて説明したが、本発明の光伝送システムはこれに限定されず、折り畳み式ＰＨＳ（Personal Handyphone System）、折り畳み式ＰＤＡ（Personal Digital Assistant）、折り畳み式ノートパソコン等の、折り畳み式の電子機器のヒンジ部等にも用いることができる。【０１４８】
第２の応用例として、光伝送システム１は、ハードディスク記録再生装置（電子機器）における読み取り部など、駆動部を有する装置に適用できる。【０１４９】
図１９は、光伝送システム１をハードディスク記録再生装置８０に適用した例を示している。【０１５０】
この図に示すように、ハードディスク記録再生装置８０は、ディスク（ハードディスク）８１、ヘッド（読み取り、書き込み用ヘッド）８２、基板導入部８３、駆動部（駆動モータ）８４、光伝送システム１を備えている。【０１５１】
駆動部８４は、ヘッド８２をディスク８１の半径方向に沿って駆動させるものである。ヘッド８２は、ディスク８１上に記録された情報を読み取り、また、ディスク８１上に情報を書き込むものである。なお、ヘッド８２は、光伝送システム１を介して基板導入部８３に接続されており、ディスク８１から読み取った情報を光信号として基板導入部８３に伝搬させ、また、基板導入部８３から伝搬された、ディスク８１に書き込む情報の光信号を受け取る。【０１５２】
このように、光伝送システム１をハードディスク記録再生装置８０におけるヘッド８２のような駆動部に適用することにより、高速、大容量通信を実現できるとともに、データ転送用の光配線を設置するスペースを小さくすることが可能となる。その結果、ハードディスク記録再生装置８０の小型化を実現することが出来る。【０１５３】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５４】
本発明に係る光伝送システムは、各種機器間の光通信路にも適用可能であるとともに、小型、薄型の民生機器内に搭載される機器内配線としてのフレキシブルな光配線にも適用可能である。
【図１】
2008114676.tif 000003
【図２】
2008114676.tif 000004
【図３】
2008114676.tif 000005
【図４】
2008114676.tif 000006
【図５】
2008114676.tif 000007
【図６】
2008114676.tif 000008
【図７】
2008114676.tif 000009
【図８】
2008114676.tif 000010
【図９】
2008114676.tif 000011
【図１０】
2008114676.tif 000012
【図１１】
2008114676.tif 000013
【図１２】
2008114676.tif 000014
【図１３】
2008114676.tif 000015
【図１４】
2008114676.tif 000016
【図１５】
2008114676.tif 000017
【図１６】
2008114676.tif 000018
【図１７】
2008114676.tif 000019
【図１８】
2008114676.tif 000020
【図１９】
2008114676.tif 000021
【図２０】
2008114676.tif 000022
【図２１】
2008114676.tif 000023
【国際調査報告】
2008114676.tif 000024
2008114676.tif 000025